(57)【特許請求の範囲】
【請求項１】
細長で長手方向に３組の器具取付部を有する開口窓を備えた取付枠の器具取付部と係止離脱自在に係止する取付手段を具備し、開口窓から前面を露出させた状態で取付枠に取り付けられる器体を備え、開口窓の短幅方向に沿った器体の寸法を開口窓の短幅方向寸法と略同じ寸法に形成すると共に、開口窓の長手方向に沿った器体の寸法を開口窓の長手方向寸法の略３分の２に形成し、器体の前面に換気扇をオン／オフするための操作スイッチを配置するとともに、前記取付枠の前面に取着される化粧プレートに前記開口窓と連通して設けられた窓孔の短幅方向に沿う方向の寸法が窓孔の短幅方向寸法と略同じ寸法に形成され、且つ、前記窓孔の長手方向に沿う方向の寸法が窓孔の長手方向寸法の略３分の１に形成されたハンドルを操作スイッチに取り付け、操作スイッチの操作時から所定の動作保持時間を限時するタイマ回路と、操作スイッチの操作時からタイマ回路の限時動作が終了するまでの間換気扇をオン動作させる負荷制御回路とを器体の内部に収納し、動作保持時間を予め設定された複数の設定時間の中から選択的に切り換える動作保持時間切換スイッチを、器体の前面において前記ハンドルで覆われていない部位に配置したことを特徴とする換気扇スイッチ。
【請求項２】
換気扇の風量を段階的に切り換えるための風量切換スイッチを器体の前面に配置したことを特徴とする請求項１記載の換気扇スイッチ。
【発明の詳細な説明】
【０００１】
【発明の属する技術分野】
本発明は、浴室などに設置される換気扇スイッチに関するものである。
【０００２】
【従来の技術】
従来より、浴室などに設置される換気扇や照明器具をオン／オフするためのスイッチが提供されていた。このスイッチは、細長で長手方向に３組の器具取付部を有する開口窓を備えた取付枠に対応し、開口窓の長手方向に対応する外形寸法が開口窓の長手方向寸法と略同じ寸法（この寸法を３個モジュール寸法という）に形成された器体を有し、器体の前面には、換気扇及び照明器具をそれぞれオン／オフするための操作スイッチや、換気扇の動作（例えば運転時間など）を切り換えるための動作切換スイッチや、換気扇の風量を強弱に切り換えるための強弱切換スイッチが配置されていた。また、照明器具をオン／オフするための操作スイッチを備えておらず、換気扇のみをオン／オフするための換気扇スイッチも提供されているが、照明器具をオン／オフするための操作スイッチを有するスイッチと同一の器体を使用しているため、その器体の大きさは３個モジュール寸法に形成されていた。
【０００３】
【発明が解決しようとする課題】
上記構成の換気扇スイッチでは、器体の大きさが３個モジュール寸法に形成されているため、取付枠に他の配線器具と並設することができないという問題があった。そこで、換気扇スイッチを他の配線器具と共に取付枠に並設できるようにするため、取付枠の有する開口窓の長手方向に沿った器体の寸法を開口窓の長手方向寸法の略３分の１（この寸法を「１個モジュール寸法」という。）に形成した換気扇スイッチも提供されているが、器体の前面が狭いため、強弱切換スイッチを器体に設けることができず、また動作切換スイッチの操作摘みを大きくすることができないため、操作しづらいという問題もあった。
【０００４】
本発明は上記問題点に鑑みて為されたものであり、その目的とするところは、操作性を向上させ、取付枠に他の配線器具と共に並設することのできる換気扇スイッチを提供することにある。
【０００５】
【課題を解決するための手段】
上記目的を達成するために、請求項１の発明では、細長で長手方向に３組の器具取付部を有する開口窓を備えた取付枠の器具取付部と係止離脱自在に係止する取付手段を具備し、開口窓から前面を露出させた状態で取付枠に取り付けられる器体を備え、開口窓の短幅方向に沿った器体の寸法を開口窓の短幅方向寸法と略同じ寸法に形成すると共に、開口窓の長手方向に沿った器体の寸法を開口窓の長手方向寸法の略３分の２に形成し、器体の前面に換気扇をオン／オフするための操作スイッチを配置するとともに、取付枠の前面に取着される化粧プレートに開口窓と連通して設けられた窓孔の短幅方向に沿う方向の寸法が窓孔の短幅方向寸法と略同じ寸法に形成され、且つ、窓孔の長手方向に沿う方向の寸法が窓孔の長手方向寸法の略３分の１に形成されたハンドルを操作スイッチに取り付け、操作スイッチの操作時から所定の動作保持時間を限時するタイマ回路と、操作スイッチの操作時からタイマ回路の限時動作が終了するまでの間換気扇をオン動作させる負荷制御回路とを器体の内部に収納し、動作保持時間を予め設定された複数の設定時間の中から選択的に切り換える動作保持時間切換スイッチを、器体の前面においてハンドルで覆われていない部位に配置したことを特徴とし、開口窓の短幅方向に沿った器体の寸法は開口窓の短幅方向寸法と略同じ寸法に形成され、開口窓の長手方向に沿った器体の寸法は開口窓の長手方向寸法の略３分の２に形成されているので、この換気扇スイッチを、開口窓の長手方向に沿った寸法が開口窓の長手方向寸法の略３分の１に形成された器体を有する他の配線器具と共に取付枠に並設することができ、且つ開口窓の長手方向に沿った器体の寸法を開口窓の長手方向寸法の略３分の１に形成した場合に比べて器体前面の面積を広くできるから、操作スイッチや動作保持時間切換スイッチの大きさを大きくして、換気扇スイッチの操作性を向上させることができる。
【０００６】
請求項２の発明では、請求項１の発明において、換気扇の風量を段階的に切り換えるための風量切換スイッチを器体の前面に配置したことを特徴とし、風量切換スイッチの操作によって換気扇の風量を段階的に切り換えることができる。
【０００７】
【発明の実施の形態】
本発明の実施の形態を図面を参照して説明する。
【０００８】
（実施形態１）
図１乃至図７を参照して本発明の実施形態１を説明する。この換気扇スイッチＡの器体１は、合成樹脂成型品からなるボディ２及びカバー３から構成され、器体１の大きさは、細長で長手方向に３組の器具取付部を有する開口窓を備えた取付枠Ｃに対応し、開口窓の短幅方向に対応する器体１の外形寸法は開口窓の短幅方向寸法と略同じ寸法に形成され、開口窓の長手方向に対応する器体１の外形寸法は開口窓の長手方向寸法の略３分の２に形成されている。すなわち、器体１は、取付枠Ｃの開口窓の長手方向に対応する外形寸法が開口窓の長手方向寸法の略３分の１の寸法に形成された１個モジュール寸法の配線器具を短幅方向に２個並べた寸法と略等しくなっており、このような寸法を２個モジュール寸法という。
【０００９】
ボディ２は前面が開口した略箱状のものであり、図４（ｂ）に示すようにボディ２の内部は隔壁４によって仕切られ、長手方向における一側には、回路部品を収納する回路部品収納部５ａが設けられている。またボディ２の長手方向における他側には、外部の電線に接続される接続端子を収納するための端子収納部５ｂ，５ｃが左右両側に設けてある。一方の端子収納部５ｂには、一対の端子板１１と、各端子板１１との間に電線の芯線を弾性挟持する一対の鎖錠ばね１３と、一対の鎖錠ばね１３を押圧して電線の係止状態を解除する方向に各鎖錠ばね１３を同時に撓ませる解除釦１４とで構成される接続端子が収納される。また他方の端子収納部５ｃには、端子板１２と、端子板１２との間に電線の芯線をそれぞれ弾性挟持する一対の鎖錠ばね１３と、一対の鎖錠ばね１３を押圧して電線の係止状態を解除する方向に各鎖錠ばね１３を同時に撓ませる解除釦１４とで構成される接続端子が収納される。そして、各端子収納部５ｂ，５ｃの底部には電線を挿入するための電線挿入孔６を各接続端子に対応して開口するとともに、解除釦１４を押し動かすためにマイナスドライバ等の治具の先端を挿入するための治具挿入孔７を解除釦１４に対応して開口してある。
【００１０】
一方、カバー３は背面が開口した略箱状であって、カバー３の周縁四隅からは矩形の組立孔８ａが穿設された組立脚８がボディ２側に突設してあり、ボディ２の両側面に突設された組立突起９に組立脚８の組立孔８ａを係止することで、ボディ２とカバー３とを一体に組み立てるようになっている。なお、ボディ２及びカバー３の結合時には組立脚８の弾性と、組立突起９の上端の傾斜面とを利用して簡単に係止できるようになっている。また、カバー３の短幅方向において対向する両側面には、側方に突出する係止爪片１０が一対づつ突設されている。一方、取付枠Ｃの両側片６１の長手方向に沿った外側縁からは背面側に突出する垂下片６３が延設されており、各垂下片６３にそれぞれ３対の係止孔６４を設けて器具取付部を構成している。カバー３の両側面に設けた係止爪片１０の内、一方の側面に設けた係止爪片１０の背部には空所２５を形成してあり、係止爪片１０を背方へ撓みやすくしているので、既製の配線器具用の取付枠Ｃが具備する係止孔６４，６４に係止爪片１０，１０を係止させて換気扇スイッチＡを着脱自在に取り付けることができ、既製の埋込型の配線器具と同様にして壁面などの造営面に埋設できるようにしてある。ここに、係止爪片１０から取付枠Ｃの器具取付部と係止離脱自在に係止する取付手段が構成される。
【００１１】
而して、上述のように構成され組み立てられた本実施形態の換気扇スイッチＡは金属製の取付枠Ｃに装着されることにより建物の壁等に設けられた埋め込み孔やスイッチボックス（図示せず）へ取り付けられ、例えば浴室などに設置された換気扇が先行配線された電線により器体１裏面の電線挿入孔６を用いて接続されるのである。
【００１２】
取付枠Ｃは、両側片６１の両端部間を連結する連結片６２に設けられた長孔６５に挿通する取付ねじ（図示せず）によりスイッチボックスに取り付け固定できるのは勿論のこと、壁パネル等には連結片６２に設けた取付孔６６に挿通させた木ねじ等で直接的に固定することができ、また壁パネルを挟むことにより固定する挟み金具を用いることができるように挟み金具を取り付けるための孔６７を連結片６２に設けてある。
【００１３】
この取付枠Ｃの前面側にはプレート枠Ｄがプレート枠固定ねじ（図示せず）をねじ孔６８に締結することにより固定されるようになっている。このプレート枠Ｄの前面側には化粧プレートＥが装着され、化粧プレートＥの中央部に設けられた窓孔７０から換気扇スイッチＡの前面に取り付けられた化粧カバー１９及びピアノハンドル２０が室内側に露出される。なお、化粧プレートＥの裏面には、プレート枠Ｄに形成した係止孔（図示せず）に係止する係止爪（図示せず）が突設してあり、この係止爪を係止孔に係止させることによって化粧プレートＥをプレート枠Ｄの前面側に装着するのである。
【００１４】
ところで、ボディ２の開口部には、図４（ａ）に示すように後述する電子タイマ回路の電子部品を実装した第１のプリント基板１５が固定ねじ（図示せず）を用いてねじ止めされる。ここで、プリント基板１５をボディ２の開口部に載置すると、プリント基板１５の裏面に実装した大型の電子部品がボディ２の回路部品収納部５ａ内に収納される。また、端子収納部５ｂ，５ｃの開口部に臨むプリント基板１５の一端両側には上記端子板１１，１２を半田付けしてあり、プリント基板１５を回路部品収納部５ａの開口部上に載置すると、予め端子収納部５ｂ，５ｃ内に収納しておいた鎖錠ばね１３及び解除釦１４を内包するように、端子板１１，１２が端子収納部５ｂ，５ｃ内に垂下配置されるようになっている。ここに、各端子板１１，１２の端縁からボディ２の開口側へ突出してある突片１１ａ，１２ａがプリント基板１５の孔１５ａに裏面側から挿入され、プリント基板１５に半田付けされる片である。
【００１５】
プリント基板１５の回路は、図示しないケーブルを介して、電子タイマ回路の入り切り操作のためのタクトスイッチからなる押釦スイッチＳＷ１、負荷を所定時間動作させる際の動作保持時間、すなわちタイマ時間を例えば２時間、４時間、又は連続運転に切り換えるためのスライドスイッチからなる動作切換スイッチ（動作保持時間切換スイッチ）ＳＷ２、及び動作表示用の発光ダイオードＬＥＤなどを実装した第２のプリント基板１６の回路に電気的に接続されている。プリント基板１６は、表面側に実装されている押釦スイッチＳＷ１、動作切換スイッチＳＷ２及び発光ダイオードＬＥＤを、カバー３内に収めるようにしてカバー３の開口部にねじ１８を用いてねじ止めされる。而して、ボディ２とカバー３とを結合すると、プリント基板１６はプリント基板１５の上方に配置される。
【００１６】
カバー３の前面には、図１（ａ）に示すように、前面が略矩形状に形成された化粧カバー１９とピアノハンドル２０とが上下に並べて取り付けられており、化粧カバー１９及びピアノハンドル２０の長手方向寸法は、化粧プレートＥの窓孔７０の短幅方向寸法と略等しい寸法にそれぞれ形成され、化粧カバー１９及びピアノハンドル２０の短幅方向寸法は、窓孔７０の長手方向寸法の略３分の１の寸法にそれぞれ形成されている。
【００１７】
ここで、プリント基板１６の前面に実装された動作切換スイッチＳＷ２の摘みはカバー３の前面に形成された窓孔（図示せず）に対向しており、この窓孔を介してカバー３の前面側からスライダ操作摘み部２２が動作切換スイッチＳＷ２の摘みに被せられ、スライダ操作摘み部２２は化粧カバー１９に設けた開口２１から前面側に露出している。
【００１８】
また、プリント基板１６の前面に実装された押釦スイッチＳＷ１の操作釦２８には、一端がカバー３に枢支されるとともに他端がコイルばね２３によってカバー３の前面側に付勢された押釦２４が対向している。カバー３の前面一端部には横向きとなった軸部２６が一体に突設してある。この軸部２６は上部が横向きの略円柱形状をしており、軸部２６とピアノハンドル２０の一側に設けた軸受部（図示せず）とを枢支することによって、ピアノハンドル２０がカバー３の前面に回動自在に軸支されている。なお、ピアノハンドル２０の他端には背方に向けて抜け止め用の抜け止め片２７が突設してあり、抜け止め片２７が空所２５内に挿入され、ピアノハンドル２０が回動しても抜け止め片２７の先端が空所２５から抜けないようになっている。而して、ピアノハンドル２０の他端を押操作すると、ピアノハンドル２０が軸部２６を中心として回動し、ピアノハンドル２０の背面によって押釦２４に設けられた突起２４ａが押圧されて、押釦２４により押釦スイッチＳＷ１の操作釦２８が押操作される。
【００１９】
また、プリント基板１６の前面に実装された発光ダイオードＬＥＤはカバー３前面に設けた窓孔（図示せず）に対向するようになっており、発光ダイオードＬＥＤの発する光はカバー３に設けられた開口とピアノハンドル２０に設けた透光部３０とを介して前方に照射されるようになっている。
【００２０】
上述のように、換気扇スイッチＡの器体１は２個モジュール寸法に形成されているので、図１及び図５に示すように、例えば照明負荷をオン／オフするスイッチＢのような配線器具と共に取付枠Ｃに並設することができ、様々な配線器具と組み合わせて使用することができる。また、器体１の大きさを２個モジュール寸法に形成しているので、１個モジュール寸法に形成した場合に比べて、器体１前面の面積を広くできるから、ピアノハンドル２０や動作切換スイッチＳＷ２のスライダ操作摘み部２２の大きさを大きくして、換気扇スイッチＡの操作性を向上させることができる。
【００２１】
次にこの換気扇スイッチＡの回路構成を図６及び図７を参照して説明する。本回路では、浴室などに設置された換気扇ＲＬと交流電源ＡＣとの直列回路を接続する接続端子Ｔａ，Ｔｂ間に、ＺＮＲのようなサージ吸収素子Ｚ１、フィルタ用のコンデンサＣ１を夫々接続するとともに、フィルタ用のインダクタＬ１を介してトライアックＴＲＣを接続する。トライアックＴＲＣのＴ２端子とＴ１端子との間には、ダイオードブリッジからなる整流器ＤＢを介して抵抗Ｒ１及びコンデンサＣ２の並列回路が接続されている。ここで、抵抗Ｒ１及びコンデンサＣ２の並列回路はトライアックＴＲＣのゲートＧとＴ１端子との間に接続してあり、トライアックＴＲＣがターンオンすると、換気扇ＲＬがトライアックＴＲＣ及びインダクタＬ１を介して交流電源ＡＣに接続され、換気扇ＲＬを駆動するようになっている。
【００２２】
整流器ＤＢの直流出力端子間には抵抗Ｒ２及びツェナダイオードＺＤ１からなる第１の電源回路１０１が接続されており、ツェナダイオードＺＤ１により得られた直流電圧は、更に３端子レギュレータＩＣ１０３により例えば３Ｖに降圧安定化され、この安定化された電圧はタイマ回路としてのタイマＩＣ１０６等の動作電源電圧として供される。
【００２３】
また整流器ＤＢの直流出力端子間には、トライアックＴＲＣをターンオンさせるためのサイリスタＳＣＲが接続され、サイリスタＳＣＲのゲートとカソードとの間には抵抗Ｒ３及びコンデンサＣ３の並列回路が接続される。サイリスタＳＣＲのアノードには、べース・エミッタ間に抵抗Ｒ４が接続されたＰＮＰ型トランジスタＱ１のエミッタが接続されており、トランジスタＱ１のコレクタは、ツェナダイオードＺＤ２を介してサイリスタＳＣＲのゲートに接続されるとともに、ダイオードＤ１を介して３端子レギュレータＩＣ１０３の電圧入力端子に接続される。また、トランジスタＱ１のベースは抵抗Ｒ５を介してＮＰＮ型トランジスタＱ２のコレクタに接続される。トランジスタＱ２のエミッタは回路のグランドに接続されており、トランジスタＱ２のベースはＮＰＮ型トランジスタＱ３のコレクタに接続されている。またトランジスタＱ３のエミッタは回路のグランドに接続され、トランジスタＱ３のベースは抵抗を介してタイマＩＣ１０６の制御出力端子Ｆ１に接続されている。ここに、トランジスタＱ１、抵抗Ｒ４，Ｒ５、ダイオードＤ１及びツェナダイオードＺＤ２などから第２の電源回路１０２が構成される。また、トライアックＴＲＣやサイリスタＳＣＲなどから負荷制御回路が構成される。
【００２４】
ここで、トランジスタＱ３のコレクタは電源電圧にプルアップされており、タイマＩＣ１０６の制御出力端子Ｆ１の信号レベルがハイレベルになると、トランジスタＱ３がオンし、トランジスタＱ２がオフする。トランジスタＱ２がオフすると、トランジスタＱ１がオフするので、３端子レギュレータＩＣ１０３にはツェナダイオードＺＤ１により定電圧化された電源が供給される。この時、トライアックＴＲＣのゲートにはターンオンするのに必要なだけの電流が流れないので、トライアックＴＲＣはオフしており、換気扇ＲＬへの電源供給は遮断される。
【００２５】
一方、タイマＩＣ１０６の制御出力端子Ｆ１の信号レベルがローレベルになると、トランジスタＱ３がオフし、トランジスタＱ２がオンする。トランジスタＱ２がオンするとトランジスタＱ１がオンし、整流器ＤＢからトランジスタＱ１及びダイオードＤ１を介して３端子レギュレータＩＣ１０３に電源が供給され、３端子レギュレータＩＣ１０３がタイマＩＣ１０６などの動作電源を生成する。ここで、ツェナダイオードＺＤ２のカソードの電位がブレーク・ダウン電圧よりも高くなると、ツェナダイオードＺＤ２に逆方向電流が流れ、ツェナダイオードＺＤ２を介してサイリスタＳＣＲのゲートに電流が流れて、サイリスタＳＣＲが導通する。サイリスタＳＣＲが導通すると、交流電源ＡＣの半サイクル毎にトライアックＴＲＣのゲートにターンオンするのに必要な電流が流れ、トライアックＴＲＣがターンオンして、換気扇ＲＬに電源が供給される。
【００２６】
このように、タイマＩＣ１０６の動作電源を生成する３端子レギュレータＩＣ１０３には換気扇ＲＬのオフ時とオン時とで異なる電源回路から電源供給されており、換気扇ＲＬのオン時には第２の電源回路１０２から３端子レギュレータＩＣ１０３に電子タイマ回路が動作するのに必要なだけの電力を供給し、残りの電力を換気扇ＲＬに供給しているので、換気扇ＲＬに印加される負荷電圧の電圧歪みを低減することができ、換気扇ＲＬのオフ時には第１の電源回路１０１から、ツェナダイオードにより定電圧化した電圧を３端子レギュレータＩＣ１０３に供給しているので、押釦スイッチＳＷ１の押し操作によって換気扇ＲＬが短時間でオン／オフされるような場合にも対応できる。
【００２７】
タイマＩＣ１０６は、換気扇ＲＬを所定の動作保持時間動作させるように、サイリスタＳＣＲをターンオンするタイミングを制御する。タイマＩＣ１０６は例えば２つの時間設定端子Ｓ１，Ｓ２を備えており、時間設定端子Ｓ１，Ｓ２の信号レベルに応じて動作保持時間が切り換えられる。すなわち、動作切換スイッチＳＷ２の切換操作によって、時間設定端子Ｓ１，Ｓ２の何れか一つがローレベルになると、タイマＩＣ１０６は当該端子に対応する動作保持時間を選定する。例えば、本実施形態では時間設定端子Ｓ１，Ｓ２の内Ｓ１がローレベルになると４時間のタイマ動作、Ｓ２がローレベルになると２時間のタイマ動作、Ｓ１，Ｓ２が共にハイレベルになると連続動作を行うようになっている。
【００２８】
タイマＩＣ１０６のスイッチ入力ポートＳ３は押釦スイッチＳＷ１を介してグランドに接続されるようになっており、押釦スイッチＳＷ１が押し操作されるとローレベルに立ち下がる。タイマＩＣ１０６は待機中に押釦スイッチＳＷ１が押し操作され、スイッチ入力ポートＳ３がローレベルに立ち下がった時点で、動作切換スイッチＳＷ２により設定された動作保持時間（すなわち４時間のタイマ動作、２時間のタイマ動作又は連続動作）で動作を開始し、その後再び押釦スイッチＳＷ１が押し操作されてスイッチ入力ポートＳ３がローレベルに立ち下がるか、又は設定された動作保持時間が経過すると、その時点で動作を停止する。ここで、タイマＩＣ１０６は、動作切換スイッチＳＷ２により設定された動作保持時間で動作を開始すると、タイマ動作期間中或いは連続動作期間中に、制御出力端子Ｆ１をローレベルとして、トランジスタＱ３をオフさせる。トランジスタＱ３がオフすると、トランジスタＱ２がオン、トランジスタＱ１がオンして、整流器ＤＢからトランジスタＱ１及びダイオードＤ１を介して３端子レギュレータＩＣ１０３に電源供給される。この時、ツェナダイオードＺＤ２のカソードの電位がブレーク・ダウン電圧よりも高くなると、ツェナダイオードＺＤ２を介してサイリスタＳＣＲのゲートに電流が流れてサイリスタＳＣＲが導通する。サイリスタＳＣＲが導通すると、交流電源ＡＣの半サイクル毎にトライアックＴＲＣのゲートにターンオンするのに必要な電流が流れ、トライアックＴＲＣがターンオンして、換気扇ＲＬに電源が供給される。
【００２９】
尚、１０４は電源投入時にタイマＩＣ１０６をリセットするためのリセットＩＣ、１０５はタイマＩＣ１０６の基準クロック発生回路である。また上述した発光ダイオードＬＥＤは表示出力端子Ｆ２〜Ｆ４に接続され、タイマＩＣ１０６がタイマ動作中或いは連続動作中に表示出力端子Ｆ２〜Ｆ４がローレベルに設定されることにより、発光ダイオードＬＥＤに電流が流れて発光し、タイマ動作中或いは連続動作中であることを表示する。
【００３０】
（実施形態２）
図８乃至図１０を参照して本発明の実施形態２を説明する。本実施形態では、換気扇ＲＬとして風量を強弱の二段階に切り換えることのできるものを用いており、換気扇スイッチＡに換気扇ＲＬの風量を切り換えるためのスライドスイッチからなる強弱切換スイッチ（風量切換スイッチ）ＳＷ３を設けている。尚、換気扇スイッチＡの基本的な構成は実施形態１と同様であるので、同一の構成要素には同一の符号を付して、その説明を省略する。
【００３１】
換気扇ＲＬは共通端子ａ、強入力端子ｂ、弱入力端子ｃの３つの端子を備えており、共通端子ａと強入力端子ｂとの間に交流電源ＡＣが接続されると、換気扇ＲＬの風量は強になり、共通端子ａと弱入力端子ｃとの間に交流電源ＡＣが接続されると、換気扇ＲＬの風量は弱になる。
【００３２】
図１０はこの換気扇スイッチＡの回路構成を示しており、本回路では実施形態１で説明した図７に示す回路において、強弱切換スイッチＳＷ３の共通接点をトライアックＴＲＣのＴ２端子に接続すると共に、強弱切換スイッチＳＷ３の２個の切換接点を換気扇ＲＬの強入力端子ｂ及び弱入力端子ｃにそれぞれ接続している。強弱切換スイッチＳＷ３はプリント基板１６の前面に実装されており、この強弱切換スイッチＳＷ３の摘みはカバー３の前面に形成された窓孔（図示せず）に対向する。そして、この窓孔を介してカバー３の前面側からスライダ操作摘み部３１が強弱切換スイッチＳＷ３の摘みに被せられ、スライダ操作摘み部３１は化粧カバー１９に設けた開口２９から前面側に露出している。而して、スライダ操作摘み部３１を操作して、強弱切換スイッチＳＷ３の接点状態を反転させることにより、換気扇ＲＬの共通端子ａと強入力端子ｂとの間に交流電源ＡＣが接続される状態と、換気扇ＲＬの共通端子ａと弱入力端子ｃとの間に交流電源ＡＣが接続される状態とを切り換えることができ、換気扇ＲＬの風量を強弱の二段階に切り換えることができる。
【００３３】
【発明の効果】
上述のように、請求項１の発明は、細長で長手方向に３組の器具取付部を有する開口窓を備えた取付枠の器具取付部と係止離脱自在に係止する取付手段を具備し、開口窓から前面を露出させた状態で取付枠に取り付けられる器体を備え、開口窓の短幅方向に沿った器体の寸法を開口窓の短幅方向寸法と略同じ寸法に形成すると共に、開口窓の長手方向に沿った器体の寸法を開口窓の長手方向寸法の略３分の２に形成し、器体の前面に換気扇をオン／オフするための操作スイッチを配置するとともに、取付枠の前面に取着される化粧プレートに開口窓と連通して設けられた窓孔の短幅方向に沿う方向の寸法が窓孔の短幅方向寸法と略同じ寸法に形成され、且つ、窓孔の長手方向に沿う方向の寸法が窓孔の長手方向寸法の略３分の１に形成されたハンドルを操作スイッチに取り付け、操作スイッチの操作時から所定の動作保持時間を限時するタイマ回路と、操作スイッチの操作時からタイマ回路の限時動作が終了するまでの間換気扇をオン動作させる負荷制御回路とを器体の内部に収納し、動作保持時間を予め設定された複数の設定時間の中から選択的に切り換える動作保持時間切換スイッチを、器体の前面においてハンドルで覆われていない部位に配置したことを特徴とし、開口窓の短幅方向に沿った器体の寸法は開口窓の短幅方向寸法と略同じ寸法に形成され、開口窓の長手方向に沿った器体の寸法は開口窓の長手方向寸法の略３分の２に形成されているので、この換気扇スイッチを、開口窓の長手方向に沿った寸法が開口窓の長手方向寸法の略３分の１に形成された器体を有する他の配線器具と共に取付枠に並設することができ、且つ開口窓の長手方向に沿った器体の寸法を開口窓の長手方向寸法の略３分の１に形成した場合に比べて器体前面の面積を広くできるから、操作スイッチや動作保持時間切換スイッチの大きさを大きくして、換気扇スイッチの操作性を向上させることができるという効果がある。
【００３４】
請求項２の発明は、請求項１の発明において、換気扇の風量を段階的に切り換えるための風量切換スイッチを器体の前面に配置したことを特徴とし、風量切換スイッチの操作によって換気扇の風量を段階的に切り換えることができるという効果がある。
【図面の簡単な説明】
【図１】実施形態１の換気扇スイッチを取付枠に取り付けた状態を示し、（ａ）は正面図、（ｂ）は側面図、（ｃ）は下面図である。
【図２】同上を取付枠に取り付けた状態を示す一部省略した背面図である。
【図３】（ａ）は同上のボディを外した状態を背面側から見た図であり、（ｂ）はＦ−Ｆ線断面図である。
【図４】（ａ）は同上のカバーを外した状態を前面側から見た図であり、（ｂ）はカバー及びプリント基板を外した状態を前面側から見た図である。
【図５】同上の施工状態を示し、（ａ）は正面図、（ｂ）は側面図である。
【図６】同上の使用状態を説明する配線図である。
【図７】同上の内部回路図である。
【図８】実施形態２の換気扇スイッチを取付枠に取り付けた状態を示し、（ａ）は正面図、（ｂ）は側面図、（ｃ）は下面図である。
【図９】同上の使用状態を説明する配線図である。
【図１０】同上の内部回路図である。
【符号の説明】
Ａ  換気扇スイッチ
Ｃ  取付枠
１  器体
２０  操作ハンドル
３１  スライド操作摘み部
【図１】
0003726616.tif 000002
【図２】
0003726616.tif 000003
【図３】
0003726616.tif 000004
【図４】
0003726616.tif 000005
【図５】
0003726616.tif 000006
【図６】
0003726616.tif 000007
【図７】
0003726616.tif 000008
【図８】
0003726616.tif 000009
【図９】
0003726616.tif 000010
【図１０】
0003726616.tif 000011